(57)【要約】  本発明は、ボール紙又はプラスチックの半加工品（１、２３、２９）と二つ又はそれ以上の荷積み棚（１２）とによって形成される、荷重支持体のプラットホームに関する。プラットホームは、半加工品（１、２３、２９）が、各荷積み棚（１２）の水平及び垂直の支持部（１３、１４）の周囲に折り曲げられことによって形成される。各荷積み棚（１２）の少なくとも中央の脚（１８）は、半加工品（１）の開口部（４）に受容される。幾つかの実施形態において、半加工品は、二つの横方向の折り返し（３、１９、２０）と、二つの長手方向の折り返し（２）と、折り曲げることを容易にするための折り目（６から８、１１）とを有する。
2007535450.tif 000002
【特許請求の範囲】
【請求項１】
プラットホームが、半加工品（１、２３、２９）と、垂直支持部（１３）及び水平支持部（１４）から成る荷積み棚（１２）とから形成され、前記半加工品が、前記荷積み棚（１２）の支持部（１３、１４）の周囲に折り曲げられることに特徴付けられるプラットホーム。
【請求項２】
前記半加工品（１、２３、２９）が、二つの長手方向の折り返し（２、２４、３０）と、中央の矩形部分と、使用される荷積み棚（１２）の形状による適切な方法で、前記半加工品を折り曲げるための折り目（６から８、１１、２７、２８、３５から３９）と、各開口部（４、２５、３２）において、荷積み棚（１２）の中央の脚（１８）を受容するための二つの開口部（４、２５、３２）とを有すること、及び二つの荷積み棚（１２）が使用されることに特徴付けられる、請求項１に記載のプラットホーム。
【請求項３】
折り目（７、２８）が、各荷積み棚（１２）の垂直支持部（１３）の上端部と一致する位置に配列されることと、前記長手方向の折り返し（２、２４）が、前記垂直支持部（１３）の周囲に折り曲げられるようになっていることと、前記長手方向の折り返し（２、２４）が、前記折り返し（２、２４）をそれぞれの荷積み棚（１２）に取付けるための手段を有することとに特徴付けられる、請求項２に記載のプラットホーム。
【請求項４】
前記取付ける手段が、各折り返し（２、２４）の長手方向の側部から突出る四つの指状突起（５、２６）であり、前記指状突起（５、２６）が、各荷積み棚（１２）の垂直支持部（１３）の孔（１５）と協働するようになっていることに特徴付けられる、請求項３に記載のプラットホーム。
【請求項５】
各荷積み棚（１２）の水平支持部（１４）の端部の二つの脚（１７）が、各長手方向の折り返し（２、２４）の横方向側部のすぐ外側に配置されるようになっていることに特徴付けられる、請求項２に記載のプラットホーム。
【請求項６】
前記半加工品が、二つの横方向の折り返し（３、１９、２０、３１）をさらに有することと、支持面が、前記荷積み棚（１２）の垂直支持部（１３）の間に形成されることと、前記半加工品（１、２９）が、前記支持面の少なくとも一部分を二重層として配置されることと、前記プラットホームが、荷重支持体であることとに特徴付けられる、請求項２に記載のプラットホーム。
【請求項７】
前記横方向の折り返し（３、１９、２０、３１）が、各荷積み棚（１２）の水平支持部（１４）の短い端部に位置付けられるように配置される折り目（８、３７）を有し、それによって、前記折り目（８）の外側の前記横方向の折り返し（３、１５、２０）の部分が、折り重なるようになっていることに特徴付けられる、請求項６に記載のプラットホーム。
【請求項８】
前記横方向の折り返し（３、１９）の外側端部（９）の横方向の広がりが、前記折り返し（３、１９）の残りの部分より小さいことと、折り目（１１）が、各横方向の折り返し（３、１９）の外側端部（９）の各側部に形成され、前記折り目が、スリット（１０）の内側端部と前記外側端部（９）の自由端部との間に配列されることと、前記折り目（１１）の外側に配置される横方向の折り返し（３、１９）の外側端部（９）の部分が、前記プラットホームが形成される時に、各荷積み棚（１２）の水平支持部（１４）の下側に配置されるようになっていることに特徴付けられる、請求項６又は７に記載のプラットホーム。
【請求項９】
前記横方向の折り返し（１９、２０）の外側端部が、前記プラットホームが形成された時に、互いに隣接して配置されることに特徴付けられる、請求項８に記載のプラットホーム。
【請求項１０】
タブ（２１）が、前記横方向の折り返し（２０）の一つの端部に形成され、前記タブ（２１）が、別の折り返し（２０）の溝（２２）で受容されるようになっていることに特徴付けられる、請求項９に記載のプラットホーム。
【請求項１１】
前記プラットホームが、トラフの形状を有することに特徴付けられる、請求項６に記載のプラットホーム。
【請求項１２】
各長手方向の折り返し（３０）が、各々の側部に折り曲げられた横方向の折り返し（３１）の内側に受容されるための端部折り返し（３４）を有することと、前記長手方向の折り返し（３０）が、それぞれの荷積み棚（１２）の垂直支持部（１３）の背面側に接して折り曲げられることとに特徴付けられる、請求項１１に記載のプラットホーム。
【請求項１３】
各横方向の折り返し（３１）の外側の部分が、形成されたプラットホームの中央の底部で受容されることに特徴付けられる、請求項１２に記載のプラットホーム。
【請求項１４】
タブ（４１）が、前記横方向の折り返し（３１）と前記プラットホームの中央部との間の折り目（３７）に配置されるノッチ（４０）で受容されるために、前記横方向の折り返し（３１）に形成されることに特徴付けられる、請求項１３に記載のプラットホーム。
【請求項１５】
前記半加工品（２９）が、前記荷積み棚（１２）の全ての脚（１７、１８）を受容するための開口部（３２、３３）を有することに特徴付けられる、請求項２に記載のプラットホーム。
【請求項１６】
前記半加工品（２３）が、前記プラットホームが形成される時に、前記荷積み棚（１２）の間の領域に単層を形成することと、前記半加工品（２３）が、テープ又はその他の接着剤によって、前記プラットホームに受容されるパッケージ又はそのような物に固定されることとに特徴付けられる、請求項２から４のいずれか一項に記載のプラットホーム。
【請求項１７】
前記半加工品（１、２３、２９）が、ボール紙から作られることに特徴付けられる、請求項２に記載のプラットホーム。
【請求項１８】
前記半加工品（１、２３、２９）が、波形の又は平坦なプラスチック板から作られることに特徴付けられる、請求項２に記載のプラットホーム。
【発明の詳細な説明】
【技術分野】
【０００１】
本発明は、商店及びショウルームで商品を陳列するための、及び多数の比較的に小さなパッケージ等々の輸送と保管のための支持部材として使用されるプラットホームに関する。
【背景技術】
【０００２】
商品の輸送のために使用される従来のパレットは、商品が陳列されるような場合にもまた、しばしば使用される。トラフ（trough）のようなある特別な手段を、パレットに配置してもよいし、又は、輸送される又は保管される商品と共に、パレットを導入してもよい。近年において、荷積み棚が、従来のパレット代わって導入された。荷積み棚は、特許文献１で述べられた型式でもよい。
【０００３】
【特許文献１】スウェーデン特許出願第０２０２７７９-５号明細書
【発明の開示】
【発明が解決しようとする課題】
【０００４】
本発明の一つの目的は、商店、ショウルーム等々で商品を陳列する場合に、輸送と保管のために使用される同一の荷積み棚を使用することが出来るようにする事である。
【課題を解決するための手段】
【０００５】
本発明においては、プラットホームを形成するために、板紙又はボール紙の半加工品と共に荷積み棚を結合することによって、これが達成される。たとえ半加工品がボール紙から作られていると述べられたとしても、当業者は、特性を同様に有するどのような材料でも、例えば、波形の又は平板のプラスチック板のような折り曲げが可能な異なるプラスチック材料が使用されてもよいことを理解する。半加工品は、二つ又はそれ以上の荷積み棚と協働するためにデザインされ切断される。それから商品の輸送又は保管ために使用される同一の荷積み棚を、商品を陳列するためのプラットホームを形成するのに使用してもよい。適切な方法で荷積み棚の周囲に半加工品をぴったり折り曲げることが、プラットホームを形成する。従って、荷積み棚と半加工品とを一つのユニットとして共に保持するために、接着剤又はその他の手段を必要としない。
【０００６】
意図した用途と必要な強度によって、半加工品は異なる構造となるかもしれない。ボール紙の半加工品と共に既成の荷積み棚を使用することによって、製造と保管の経費は、比較的低く維持されるかもしれない。さらに、プラットホームは、迅速に且つ容易に組立てられるかもしれない。
【０００７】
本発明の一つの態様において、プラットホームは、荷重支持体（load-bearing or load carrying）であり、荷積み棚の周囲に折り曲げられる横方向及び長手方向の両方向の折り返しを有する。半加工品をそれ自体の上に折り曲げることによって、少なくとも支持面の一部で二層のボール紙となるだろう。支持面は、荷積み棚の垂直支持体の間に形成される。ボール紙が２重になる部分の長さを調節することを、支圧強度を制御するために使用してもよい。当業者は、プラットホームの支圧強度が十分である限り、どのような物を支持するためにも、本発明によるプラットホームを使用してよいことを理解するだろう。プラットホームは、軽量でさらに比較的に良好な支圧容量と強度を有する。
【０００８】
本発明の別の態様において、プラットホームは、それ自体が荷重支持体でない。この場合の半加工品の一つの主要な機能は、ディスタンス要素又はスペーサとなることである。半加工品の長さは、陳列される商品を保持するパッケージ又はそのような物の寸法に適合される。これらの種類のプラットホームは、通常パッケージ又はそのような物の底部にテープ又はその他の接着剤によって固定される。
【０００９】
多数の事例において、プラットホームは型式に関係なく、製造業者からの輸送中に、及び保管中にもまた使用される。このように、いかなる再荷積みの必要もない。小型のパッケージは、それら自体が荷積み棚を用いる利用法にふさわしい大きさではないので、本発明のプラットホームを多数の小型のパッケージための土台として使用してもよい。従ってこのような場合に、プラットホームは、可能な板に、さもなければ二つの荷積み棚の間に配置される板に取って代わることが出来きるだろう。
【００１０】
半加工品が荷積み棚の実際の形状に適合する限り、本発明に対して荷積み棚の正確な形状は重要でない。
【００１１】
本発明のさらなる目的と利点は、好適な実施形態の以下の詳細な記述を読んだ時に、当業者に明瞭になるだろう。
【００１２】
本発明は、添付された図面を参照して、さらに以下に述べられるだろう。
【発明を実施するための最良の形態】
【００１３】
この記述で使用される用語「長手方向の」は、プラットホームが形成される時に、荷積み棚の主要な延伸方向である。用語「横方向の」は、「長手方向の」と直角の方向に準用される。この記述で使用される用語「水平の」、「垂直の」、及び相当する表現は、添付の図面に示されるような方向を考慮しており、それは、通常の使用方向と一致する。
【００１４】
示された様々な実施形態において、同一の符号は同一の部品として、図面中で使用される。
【００１５】
本発明によるプラットホームのための半加工品１の例と、半加工品から形成されるプラットホームとが、それぞれ図１と２で示される。しかしながら、プラットホームは、それ自体の使用を意図しておらず、さらに以下で説明されるように、二つの荷積み棚又はそのような物と共に使用されるようになっていることに注意すべきである。半加工品１は、ボール紙又は板紙、例えば段ボール紙からしばしば作られる。上に示したように、別の実施形態において、半加工品は、例えば、ある程度の剛性を有する波形の又は平坦なプラスチック板のような別の材料から作られる。示された半加工品１は、二つの長手方向の折り返し２と二つの横方向の折り返し３とを有する。折り返し２，３の内側に、プラットホームの矩形の中央部が形成される。長手方向の折り返し２は、半加工品１のより長い側部に、互いに向き合って配列される。横方向の折り返し３は、半加工品１のより短い側部に互いに向き合って配列される。
【００１６】
各長手方向の折り返し２の中央で、プラットホームの中央部に隣接して、矩形の開口部４が形成される。長手方向の折り返し２の外側端部に、多数の指状突起５が形成される。示された実施形態において、四つの指状突起５が各折り返し２に配列されるが、指状突起５の数量と形状は、プラットホームで使用される荷積み棚又はそのような物の構造によって変わってもよい。
【００１７】
各長手方向の折り返し２は、折り返し２の全長に沿って延伸する二つの長手方向の折り目６，７を有する。一方の折り目６は、各長手方向の折り返し２の矩形開口部４に隣接して配列される。折り目６は、開口部４が、前記折り目６とプラットホームの中央部との間に配置されるような位置に配列される。他方の長手方向の折り目７は、折り返し２の外側端部により近く配置される二重折り目である。折り目７は、折り返し２の外側端部が、間に荷積み棚１２の一部分を伴ってそれ自体の上に折り曲げられるようになっているという意味において二重である。
【００１８】
横方向の折り返し３は、各々にプラットホームの中央部の短い端部と平行に、及び横方向の折り返し３の全体に沿って延伸する、折り目８を有する。折り目８は、示されたような各横方向の折り返し３のほぼ中央に配列される。荷積み棚１２の長さが、折り目８の位置を規定する。各荷積み棚１２の水平支持部１４の短い端部は、横方向の折り返し３が折り重ねられる時に、折り目８に受容されるようになっている。折り目８は、各横方向の折り返し３が、間に荷積み棚１２の１部分を伴って、それ自体の上に折り曲げられるようになっているという意味で二重である。形成されたプラットホームの所望される安定性を左右するので、横方向の折り返し３の伸長を変更してもよい。これは、図５と６の実施形態に関して、さらに以下で考察される。
【００１９】
各横方向の折り返し３の外側端部９は、折り返し３の残りの部分より横の方向に延伸しない。二つの向き合うスリット１０は、各横方向の折り返し３の外側端部９と折り返し３の残りの部分との間に配列される。各スリット１０の長さは、使用される荷積み棚の寸法次第である。折り目１１は、各スリット１０の内側端部と外側端部９の自由端部との間に配列される。外側端部９の、各折り目１１の外側の部分は、プラットホームが形成される時に、荷積み棚の下側に曲げられるようになっている。
【００２０】
図３において荷積み棚１２の一例が示され、プラットホームを形成するために、荷積み棚１２を図１と２の半加工品と共に使用してもよい。図４に示したように、一つの半加工品１と二つの荷積み棚１２とが、通常プラットホームを形成する。
【００２１】
荷積み棚１２は、一つの垂直支持部１３と一つの水平支持体１４を有する。垂直支持部１３において、多数の孔１５が、本来、荷積み棚１２の重量を低減するために配列される。さらに、ストラップ又はそのような物のための固定要素１６が、垂直支持部１３に配列される。水平支持部の下側に、三つの脚１７、１８が配列される。脚１７，１８は、異なるタイプのリフト付きトラックのような通常の取扱い設備によって取扱うことが可能なように備え付けられる。二つの脚１７は、水平支持部１４の両端部に配置され、水平支持部１４の中央に配置される第三の脚１８よりも短い長手方向寸法を有する。
【００２２】
使用時に、荷積み棚１２の中央の脚１８は、長手方向の折り返し２の矩形開口部４の各々に配置される。荷積み棚１２の両端部の脚１７は、通常、長手方向の折り返し２の両端部に隣接して配置される。別の実施形態においてもまた、両端部の脚１７は、半加工品の開口部に受容される。長手方向の折り返し２の外側部分は、折り目７で荷積み棚１２の垂直支持部１３の外側端部に折り重ねられる。折り返し２の外側端部の指状突起５は、荷積み棚１２の適切な孔１５に配置される。別の実施形態において、折り返し２の指状突起５は、固定要素１６に形成された孔に受容される。従って、各折り返し２は、指状突起と、水平支持部１４の孔１５又は固定要素１６の孔との間の協働によって、荷積み棚１２に保持される。各々の側部に一つの荷積み棚１２を備えて、横方向の折り返し３は、折り目８で折り曲げられ、折り目１１の外側の、横方向の折り返し３の外側部分９の部品が、各荷積み棚１２の水平支持部１４の下側に押し下げられる。従ってプラットホームは、一つの半加工品１と二つの荷積み棚１２から形成される。支持面は、二つの荷積み棚１２の垂直支持部１３の間に形成される。意図した用途、例えば商品を陳列する時に使用されるパッケージ、容器等々の大きさに、半加工品２の寸法を適合してもよい。
【００２３】
図５と６に示したように、横方向の折り返し１９、２０の長さを変更してもよい。図５、６の実施形態において、各横方向の折り返し１９、２０の長さは、折り返し１９、２０の端部が、プラットホームを形成するために折り曲げられた時に、互いに隣接して配置される長さである。図５の実施形態において、タブ２１は、横方向の折り返し２０の一方の一端部に形成される。前記タブ２１は、プラットホームが形成される時に、他方の横方向の折り返し２０に形成される溝２２で受容されるようになっている。図５の実施形態において、折り返し２０の端部は、折り返しの残りの部分と同一の幅を有する。従って、横方向の折り返し２０の部分は、荷積み棚１２の水平支持部１４の下側に配置されるようにはなっていない。別の実施形態（示されていない）において、図５と６の実施形態が混合される。従って、タブ２１と溝２２とが、図５で示されたように形成され、一方、折り返しの残りの部分は、図６に示されたような形状に一致する。この後者の実施形態において、折り返しは、タブ２１と溝２２との間の協働によっても、同様に荷積み棚１２の下側に配置される折り返しの部分によっても押し付けられる。
【００２４】
完成したプラットホームで、互いに隣接して配置される端部を有する折り返し１９、２０によって、全支持面を覆う二重層のボール紙となるだろう。二重のボール紙は、短い横方向の折り返し３を有するその他の実施形態と比較して、支圧強度が増加されることを意味する。従って、横方向の折り返し１９、２０の長さは、ある程度、プラットホームの支圧強度に影響を及ぼす。
【００２５】
図７の半加工品２３と先に論じられた半加工品との間の主な相違点は、図７の半加工品２３が、横方向の折り返しを有していないことである。だからそれは、二つの長手方向の折り返し２４と、荷積み棚１２の中央の脚１８の各々を受容するための二つの開口部２５とを有している。さらにそれは、長手方向の折り返し２４の外側の自由端部に指状突起２６を有する。指状突起２６は、荷積み棚１２の垂直支持部１３の固定要素１６の孔に受容されるようになっている。当業者は、代替のような指状突起２６を、荷積み棚１２の垂直支持部１３の孔１５に受容してもよいことを理解する。指状突起２６の位置は、それらが受容されるようになっている開口部又は孔１５によって調整される。さらに、半加工品２３は、二つの荷積み棚１２の周囲で半加工品を折り曲げすることが出来るように、折り目２７、２８を有する。一方の折り目２７は、半加工品２３の各端部で、荷積み棚１２の脚１８を受容するために、各開口部２５に隣接して配置される。前記折り目２７は、それぞれの荷積み棚１２の垂直及び水平の支持部１３、１４の間の外側の角部に隣接して位置付けされるようになっている。他方の折り目２８は二重であり、プラットホームが形成された時に、それぞれの荷積み棚の垂直支持部１３の上端部は、前記折り目２８に受容される。前記他方の折り目２８で、間に荷積み棚１２の垂直支持部１３を伴って、各長手方向の折り返し２４を、それ自体の上に折り曲げるようになっている。
【００２６】
二つの荷積み棚１２と共に図７の半加工品２３を使用することによって、図８に示されたようなプラットホームを形成してもよい。プラットホームは、一つの荷積み棚１２が半加工品２３の各開口部２５に、中央の脚１８を伴って配置されることで形成される。半加工品２３の各長い側部は、各荷積み棚１２の外側の脚１７に隣接して配置される。各長手方向の折り返し２４は、各荷積み棚１２の外側の周囲に折り曲げられ、半加工品２３の外側端部で指状突起２６は、適切な孔１５に又は固定要素１６に内側から挿入される。従って、半加工品２３は、半加工品２３の開口部２５と荷積み棚１２の中央の脚１８との間の協働によって、及び、半加工品２３の指状突起２６と各荷積み棚１２の垂直支持部１３の孔１５又は開口部との間の協働によって、折り曲げることにより荷積み棚１２に保持される。
【００２７】
使用する時に、図８のプラットホームは、保管される商品を保持しているパッケージ又はそのような物の底部にしばしば固定される。固着は、テープ又はその他の接着剤の形態であってもよい。それ故に、パッケージは、プラットホームが安定した状態で使用される。
【００２８】
代替として、図７と８の半加工品に、トラフの二つの側部に折り曲げられる横方向の折り返しを備えてもよい。そこで、横方向の折り返しを折り曲げることは、図９と１０に関して以下に議論されるような、横方向の折り返しを折り曲げることに相当するだろう。
【００２９】
代替の実施形態（示されていない）において、二つ又はそれ以上の荷積み棚が、受容されるパッケージ又はそのような物の各々の側部に隣り合って配置される。このような場合に、半加工品が、より幅広く製作され、開口部が、荷積み棚の全ての脚のために、場合によっては各端部の外側の脚を除いて半加工品に備えられる。折り曲げることなどに関する原則は、各側部で一つの荷積み棚を用いる、上に述べられたのと同一である。
【００３０】
図９と１０の実施形態において、プラットホームはトラフの形状を有し、それは幾つかのより小さなパッケージが受容される場合に、有用であるかもしれない。
【００３１】
半加工品２９は、二つの長手方向の折り返し３０と二つの横方向の折り返し３１を有する。各荷積み棚１２の中央の各脚１８のための開口部３２に加えて、半加工品２９はまた、各荷積み棚１２の端部の脚１７のための開口部３３を有する。長手方向の折り返し３０は、横方向の折り返し３１の長さに相当する長さを有する端部折り返し３４を各端部に備え付ける。折り目３５は、各長手方向の折り返し３０と半加工品２９の中央部分との間に配列される。折り目３６は、各長手方向の折り返し３０と端部折り返し３４との間に配置される。
【００３２】
各横方向の折り返し３１は、三つの折り目を有し、第一の折り目３７は、折り返し３１と半加工品２９の中央部分との間に在り、第二の折り目３８は、二重折り目で、第一折り目３７と第三折り目３９との中間に在り、第三の折り目３９は、第一の折り目３７から第二の折り目３８が設置された間隔と等しい距離に、第二折り目３８から離れて設置される。第一折り目において、二つのノッチ４０が、第三の折り目３９に配置される二つのタブ４１と協働するために形成される。
【００３３】
プラットホームは、半加工品２９が、二つの荷積み棚１２の周囲に折り曲げられることによって形成される。各荷積み棚１２は、半加工品２９の適切な開口部３２、３３に、その脚１７、１８を供えて配置される。そこで、各長手方向の折り返し３０は、それぞれの荷積み棚１２の水平支持部１４に隣接して上に折り曲げられる。各長手方向の折り返し３０の端部折り返し３４は、それぞれの横方向の折り返し３１と半加工品２９の中央部分との間の第一折り目３７に沿って配置される方法で折り曲げられる。第一折り目線３７に沿って配置された端部折り返し３４と共に、横方向の折り返し３１は、端部折り返し３４の周囲に折り曲げられる。第二と第三の折り目３８、３９との間の部分は、第一と第二の折り目３７、３８との間の部分の上に折り曲げられ、これらの部分は、垂直な位置に配置される。第三折り目３９のタブ４１は、形成されたトラフの底部で内側に向かう各横方向の折り返し３１の、外側の自由端部と共に、第一折り目３７のノッチ４０と同時に配置される。横方向の折り返し３１の外側の部分の長さを変更することによって、要求と必要性に左右される、プラットホームの中央部の二重層を有する領域を、調整してもよい。
【００３４】
さらに、さらなる実施形態（示されていない）において、プラットホームが、形成されたプラットホームの四つの側部の全てに、荷積み棚を備え付けている。半加工品の構造は、意図した用途に適合しなければならないが、同一の原則が適用される。従って、半加工品は、何らかの方法で荷積み棚の周囲に折り曲げられるようになっている。
【００３５】
当業者は、記述された実施形態とは別の部品を、多数の異なる方法に結合してもよいことを理解する。上述のことから、半加工品を使用することによって、及び二つ又はそれ以上の荷積み棚の周囲に半加工品を折り曲げることによって、多数の異なる構造を達成してもよいことは、さらに明白である。
【図面の簡単な説明】
【００３６】
【図１】本発明によるプラットホームのための半加工品の平面図である。
【図２】プラットホームを形成するために折り曲げる方法によって折り曲げられた図１の半加工品の、明確さのために荷積み棚無しで示された斜視図である。
【図３】図１と２の半加工品と共に使用が可能な、荷積み棚の一例の斜視図である。
【図４】図１と２の半加工品、及び図３による二つの荷積み棚から形成される、本発明によるプラットホームの斜視図である。
【図５】本発明による半加工品のさらなる実施形態の、図２に相当する斜視図である。
【図６】本発明による半加工品のさらなる実施形態の斜視図である。
【図７】本発明のさらなる実施形態のさらなる実施形態による、半加工品の図１に相当する平面図である。
【図８】図７の半加工品と図３による二つの荷積み棚とによって形成される、プラットホームの斜視図である。
【図９】本発明のさらなる実施形態による半加工品の平面図である。
【図１０】明確にするために荷積み棚無しで、図９の半加工品によって形成されたプラットホームの斜視図である。
【図１】
2007535450.tif 000003
【図２】
2007535450.tif 000004
【図３】
2007535450.tif 000005
【図４】
2007535450.tif 000006
【図５】
2007535450.tif 000007
【図６】
2007535450.tif 000008
【図７】
2007535450.tif 000009
【図８】
2007535450.tif 000010
【図９】
2007535450.tif 000011
【図１０】
2007535450.tif 000012
【国際調査報告】
2007535450.tif 000013
2007535450.tif 000014
2007535450.tif 000015